(57)【要約】【課題】本発明は、基台上の電気機器の配置を変更して結線等の作業性を向上させることを目的としている。【解決手段】本発明に係る分電盤１の構造は、分岐ブレーカ４を長辺を床面に対して水平に配列し複数の分岐ブレーカ４を縦配列すると共に、分岐ブレーカ４の端子部６近傍に配線のためのガタースペース７を設けたことを特徴とし、分電盤を天井近くに設置する場合にも、結線作業がしやすく、結線作業の効率を向上させると共に、確実な結線ができるようにした。【選択図】図１
2006345646.tif 000002
【特許請求の範囲】
【請求項１】
基台上に主幹ブレーカ、分岐ブレーカ等の電気機器を載置し、該電気機器を導電バーで接続し、前面はカバーで施蓋して成る分電盤において、前記分岐ブレーカを長辺を床面に対して水平に配列し複数の分岐ブレーカを縦配列すると共に、該分岐ブレーカの端子部近傍に配線のためのガタースペースを設けたことを特徴とする分電盤。
【請求項２】
前記分電盤において、該分電盤を取り付けている壁の、前記電気機器を載置した基台に隣接する位置に、配線のための開口を設け、前記カバーは前記基台にヒンジを介して回動可能に取り付けられると共に、前記基台と前記開口を含む大きさであることを特徴とする請求項１に記載の分電盤。
【発明の詳細な説明】
【技術分野】
【０００１】
本発明は、基台上に主幹ブレーカ、分岐ブレーカ等の電気機器を載置し、該電気機器を導電バーで接続して成る分電盤に関するものである。
【背景技術】
【０００２】
従来技術における分電盤３１は、基台３２上に主幹ブレーカ３３と分岐ブレーカ３４とを配置し、これらブレーカ間は導電バーを介して接続されている。分岐回路数の多い場合には、分岐ブレーカ３４を上下二列に配列していた。分岐ブレーカ３４の、負荷側への配線は、上列の分岐ブレーカ３４は上側で、下列の分岐ブレーカ３４は下側で行っていた。
【０００３】
図３に示すように、配線は分電盤３１の背面３５へ通される。または、図４に示すように、分電盤３１の基台３２の上側の側面板３６に切り欠き３７を設け、配線は壁面内部または天井へ通される。基台３２の背面の壁面または天井には開口を設け、この開口を通って配線されていた。
【非特許文献１】２００５  カワムラ  総合カタログ  電設資材編  平成１７年５月１日
【発明の開示】
【発明が解決しようとする課題】
【０００４】
しかしながら、上記従来技術によれば、図５に示すように、分電盤の取り付け位置によっては、天井の直下に分電盤を収めなくてはならない場合があり、その場合、分電盤の配線作業がしづらく、特に、分岐ブレーカの上側の配線は、目視できないことがあるため、手探りで行い結線間違いの虞があった。
【０００５】
また、基台上の限られたスペースで結線作業を行わなくてはならず、作業性が悪いという欠点があった。
【課題を解決するための手段】
【０００６】
そこで本発明は、基台上の電気機器の配置を変更して結線等の作業性を向上させることを目的とし、その分電盤の構造は、分岐ブレーカを長辺を床面に対して水平に配列し複数の分岐ブレーカを縦配列すると共に、分岐ブレーカの端子部近傍に配線のためのガタースペースを設けたことを特徴とする。
【０００７】
また、分電盤を取り付けている壁の、電気機器を載置した基台に隣接する位置に、配線のための開口を設け、カバーは基台にヒンジを介して回動可能に取り付けられると共に、基台と開口を含む大きさであることを特徴とする。
【発明の効果】
【０００８】
本発明の分電盤は、分岐ブレーカを長辺を床面に対して水平に配列し複数の分岐ブレーカを縦列に配置すると共に、分岐ブレーカの端子部横に配線のためのガタースペースを設けたため、分電盤が天井近くに設置された場合にも、ブレーカの端子部を目視しながら作業ができるため、確実に結線作業が行えるという利点がある。
【０００９】
また、分電盤を取り付けている壁の、電気機器を載置した基台に隣接する位置に、配線のための開口を設け、カバーは基台にヒンジを介して回動可能に取り付けられると共に、基台と開口を含む大きさであるため、従来スペースを制限していた基台上ではなく、ブレーカの端子に隣接するスペースで配線でき、作業性が大幅に向上する。また、壁に設けた開口はカバーで施蓋するため、開口作業も簡単に済ませることができる。
【発明を実施するための最良の形態】
【００１０】
結線等の作業性を向上させるという目的を、最小の部品点数で、基台の限られたスペースを有効活用しながら実現した。
【実施例１】
【００１１】
本発明に係る分電盤の実施例を図１〜図２の添付図面に基づいて説明する。
【００１２】
分電盤１は基台２上に主幹ブレーカ３や分岐ブレーカ４等の電気機器を配置し、前面をカバー５で施蓋して構成される。分岐ブレーカ４は長辺を床面に対して水平に配列し、複数の分岐ブレーカ４を縦配列し、従来の分電盤と同じ縦寸法の基台に収める。各電気機器の間は導電バーで接続される。分岐ブレーカ４の負荷側の端子部６は分電盤１の端部に配置する。端子部６の横にガタースペース７を設け、端子部６と負荷への配線をこのガタースペース７で行う。
【００１３】
分岐ブレーカ４が縦配列となることで、基台の横寸法は短縮でき、設置場所の制限が少なくなる。また、分電盤１の左右の端部にガタースペース７が配置でき、ガタースペース７の上部にガタースペース７がある場合に比べて天井とガタースペース７との位置関係から、作業者が目視しながら作業できるので確実に且つ作業のしやすさが大幅に向上する。
【００１４】
基台２の前面はブレーカの操作ハンドルを突出させることのできる操作孔を設けたカバーで充電部を施蓋する。さらに扉体８を取り付けることもできる。
【実施例２】
【００１５】
本発明に係る分電盤の第二実施例として、基台１１には主幹ブレーカ１２や分岐ブレーカ１３等の電気機器と電気機器間を接続する導電バーを配置し、分岐ブレーカ１３の負荷側端子部１４から負荷への配線のためのガタースペースを基台１１上には設けない。基台１１近傍の壁面に開口を設け、その開口部分で配線する。壁面に設けた開口に配線するため、基台１１の側面部には切り欠き１５を形成する。
【００１６】
分電盤１６の前面に設けられるカバー１７は、基台１１にヒンジを介して回動可能に取り付けられる。また、カバー１７は、基台１１だけでなく、基台１１近傍に設けた開口をも含んで施蓋可能である大きさに形成する。
【００１７】
配線用の開口は、基台１１上には設けず、基台１１の近傍の壁面に直接設けるが、カバー１６が基台１１よりも大きく設けられ、基台１１も壁面に設けられた開口も施蓋されるので、基台の切り欠き１６や壁面の開口の処理は精密なものでなくても外観に影響はない。そのため、開口の加工作業も簡易にすることができる。
【産業上の利用可能性】
【００１８】
分岐ブレーカを縦に配列することによって、基台の限られたスペースを有効に活用することができ、分電盤全体の大きさを小さくすることが可能であるため、住宅の小さなスペースに分電盤を配置したい場合にも適用できる。
【図面の簡単な説明】
【００１９】
【図１】分電盤の実施例を示す説明図である。（実施例１）
【図２】分電盤の第二実施例を示す説明図である。（実施例２）
【図３】分電盤の従来例を示す説明図である。
【図４】分電盤の従来例を示す説明図である。
【図５】分電盤の従来例を示す説明図である。
【符号の説明】
【００２０】
１    分電盤
２    基台
３    主幹ブレーカ
４    分岐ブレーカ
５    カバー
６    端子部
７    ガタースペース
８    扉
１１  分電盤
１２  主幹ブレーカ
１３  分岐ブレーカ
１４  端子部
１５  切り欠き
１６  分電盤
１７  カバー
【図１】
2006345646.tif 000003
【図２】
2006345646.tif 000004
【図３】
2006345646.tif 000005
【図４】
2006345646.tif 000006
【図５】
2006345646.tif 000007